(57)【要約】【課題】  水平同期信号や垂直同期信号等のタイミング信号が一時的に供給されない状態が発生した場合であっても、表示画像のホールドによる液晶の焼き付きや劣化を抑制することができる表示駆動装置及びその駆動制御方法を提供する。【解決手段】  ＬＣＤコントローラ４０は、表示信号生成回路５０からの外部水平同期信号ＨＳＣＫａや外部垂直同期信号ＶＳＣＫａが一定期間入力されない状態を検出した場合には、上記外部水平同期信号ＨＳＣＫａや外部垂直同期信号ＶＳＣＫａに替えて、独立して生成された内部水平同期信号ＨＳＣＫｂ及び内部垂直同期信号ＶＳＣＫｂを出力するとともに、表示信号生成回路５０から供給される映像信号に基づく外部表示データに替えて、白表示データを出力する表示切換制御部４１を備えた構成を有している。【選択図】  図１
2007093695.tif 000002
【特許請求の範囲】
【請求項１】
タイミング信号に基づいて、表示パネルに所望の画像情報を表示するための駆動制御信号を生成する表示駆動装置において、
装置外部から供給される外部タイミング信号の供給状態を検出する外部信号検出手段と、
前記外部タイミング信号とは独立した内部タイミング信号、及び、前記表示パネルを所定の表示状態に設定するための内部表示データを生成する内部信号生成手段と、
前記外部信号検出手段により前記外部タイミング信号の欠落が検出された場合に、前記内部信号生成手段により生成された前記内部タイミング信号及び前記内部表示データを出力する信号出力切換手段と、
前記外部タイミング信号又は前記内部タイミング信号に基づいて、前記駆動制御信号を生成する制御信号生成手段と、
を備えることを特徴とする表示駆動装置。
【請求項２】
前記外部信号検出手段は、前記外部タイミング信号の各周期ごとの基準クロック数を計数し、該計数値が当該カウンタにおけるフルカウント値に達した際にフルカウント出力を出力するカウンタと、該カウンタから出力される前記フルカウント出力を検出して切換信号を出力する切換信号生成部と、を有し、
前記信号出力切換手段は、前記切換信号に基づいて、前記内部タイミング信号及び前記内部表示データを出力するように信号経路を切り換えることを特徴とする請求項１記載の表示駆動装置。
【請求項３】
前記外部信号検出手段により供給状態が検出される前記外部タイミング信号は、水平同期信号及び垂直同期信号のうちの少なくともいずれか一方であることを特徴とする請求項１又は２記載の表示駆動装置。
【請求項４】
前記内部信号生成手段により生成される前記内部表示データは、前記表示パネルに白表示画像を表示させるための輝度階調データであることを特徴とする請求項１乃至３のいずれかに記載の表示駆動装置。
【請求項５】
タイミング信号に基づいて、表示パネルに所望の画像情報を表示するための駆動制御信号を生成する表示駆動装置の駆動制御方法において、
装置外部から供給される外部タイミング信号の供給状態を検出するステップと、
前記外部タイミング信号が正常に供給されている場合には、前記外部タイミング信号に基づいて、前記駆動制御信号を生成するステップと、
前記外部タイミング信号の欠落が検出された場合には、前記表示駆動装置の内部で生成された、前記外部タイミング信号とは独立した内部タイミング信号に基づいて、前記駆動制御信号を生成するとともに、前記所望の画像情報を表示するために装置外部から供給される外部表示データを、白表示画像を表示させるための内部表示データに切り換えるステップと、
を含むことを特徴とする表示駆動装置の駆動制御方法。
【請求項６】
前記外部タイミング信号は、水平同期信号及び垂直同期信号のうちの少なくともいずれか一方であることを特徴とする請求項５記載の表示駆動装置の駆動制御方法。
【発明の詳細な説明】
【技術分野】
【０００１】
本発明は、液晶表示装置等の表示装置に適用して良好な表示駆動装置及びその駆動制御方法に関する。
【背景技術】
【０００２】
近年、デジタルスチルカメラや携帯電話、電子辞書、携帯情報端末等の電子機器の普及が著しく、これらの電子機器には各種情報を表示するための表示装置として、液晶表示装置（Liquid Crystal Display；ＬＣＤ）が一般的に搭載されている。また、コンピュータやテレビジョン等の情報端末や映像機器においても、旧来の陰極線管（ブラウン管、Cathode Ray Tube；ＣＲＴ）に替えて、液晶表示装置が多用されるようになってきている。
【０００３】
以下に、従来の表示装置の概略構成例について簡単に説明する。
図５は、従来技術における液晶表示装置の一例を示す概略ブロック図である。ここでは、液晶表示装置としてアクティブマトリックス型液晶表示パネルを備えた場合の構成について説明する。
【０００４】
図５に示すように、従来の液晶表示装置の概略構成は、大別して、液晶表示パネル１１０と、信号ドライバ（ソースドライバ）１２０と、走査ドライバ（ゲートドライバ）１３０と、ＬＣＤコントローラ１４０と、表示信号生成回路（ビデオインターフェース回路）１５０と、を有している。ここで、表示信号生成回路１５０は、外部から供給される映像信号（ビデオ信号）に基づいて表示データ（輝度階調データ）を生成して信号ドライバ１２０に供給するとともに、各種のタイミング信号（システムクロックＳＹＳＣＫ、水平同期信号ＨＳＹＮＣ、垂直同期信号ＶＳＹＮＣ等）を生成して信号ドライバ１２０及びＬＣＤコントローラ１４０に供給する。また、ＬＣＤコントローラ１４０は、表示信号生成回路１５０から供給される上記タイミング信号に基づいて、少なくとも水平制御信号及び垂直制御信号を生成して、信号ドライバ１２０及び走査ドライバ１３０に個別に供給する。
【０００５】
すなわち、表示信号生成回路１５０は、例えば、映像信号に基づく所定の画像情報を液晶表示パネル１１０に表示するための基本となる各種タイミング信号を生成するデジタルシグナルプロセッサ（ＤＳＰ）を備えて構成され、また、ＬＣＤコントローラ１４０は、当該デジタルシグナルプロセッサにより生成されたタイミング信号に基づいて、信号ドライバ１２０及び走査ドライバ１３０を所定のタイミングで動作させるための水平制御信号及び垂直同期信号を生成するタイミングジェネレータ（ＴＧ）を備えて構成されている。
なお、上述したような液晶表示装置（表示装置）の構成については、例えば、特許文献１等に詳しく記載されている。
【０００６】
【特許文献１】特開２００１−２３６０５２号公報  （第２頁〜第４頁、図６、図１０）
【発明の開示】
【発明が解決しようとする課題】
【０００７】
しかしながら、上述した従来技術に係る液晶表示装置（表示装置）においては、例えば、静電気等の装置外部からの影響により表示信号生成回路内に設けられたデジタルシグナルプロセッサにおいて、水平同期信号や垂直同期信号等のタイミング信号が一時的に生成されず、ＬＣＤコントローラに供給されなくなる場合があった。また、上述した静電気等の他に、デジタルシグナルプロセッサに書き込まれた制御プログラムのミス（バグ）や液晶表示装置の異常操作等によりデジタルシグナルプロセッサが一時的に誤動作して、上記タイミング信号がＬＣＤコントローラに一時的に供給されなくなる場合もあった。
なお、上述した特許文献１においても、原因は異なるものの、映像信号（ビデオ信号）の特殊再生等を行った場合に水平同期信号の信号波形やタイミングの異常が生じたり、当該信号が欠落したりする等の現象が生じることが記載されている。
【０００８】
そのため、ＬＣＤコントローラにおいて生成される水平制御信号や垂直制御信号が、信号ドライバや走査ドライバに正常に出力されなくなるため、液晶表示パネルに表示されている画像情報（表示画像）がホールドされて残像が生じることにより、表示画素を構成する液晶に直流電圧が印加されて、画面の焼き付きが生じたり、液晶が劣化したりする等の問題を有していた。
【０００９】
そこで、本発明は、上述した問題点に鑑み、水平同期信号や垂直同期信号等のタイミング信号が一時的に供給されない状態が発生した場合であっても、表示画像のホールドによる液晶の焼き付きや劣化を抑制することができる表示駆動装置及びその駆動制御方法を提供することを目的とする。
【課題を解決するための手段】
【００１０】
請求項１記載の発明は、タイミング信号に基づいて、表示パネルに所望の画像情報を表示するための駆動制御信号を生成する表示駆動装置において、装置外部から供給される外部タイミング信号の供給状態を検出する外部信号検出手段と、前記外部タイミング信号とは独立した内部タイミング信号、及び、前記表示パネルを所定の表示状態に設定するための内部表示データを生成する内部信号生成手段と、前記外部信号検出手段により前記外部タイミング信号の欠落が検出された場合に、前記内部信号生成手段により生成された前記内部タイミング信号及び前記内部表示データを出力する信号出力切換手段と、前記外部タイミング信号又は前記内部タイミング信号に基づいて、前記駆動制御信号を生成する制御信号生成手段と、を備えることを特徴とする。
【００１１】
請求項２記載の発明は、請求項１記載の表示駆動装置において、前記外部信号検出手段は、前記外部タイミング信号の各周期ごとの基準クロック数を計数し、該計数値が当該カウンタにおけるフルカウント値に達した際にフルカウント出力を出力するカウンタと、該カウンタから出力される前記フルカウント出力を検出して切換信号を出力する切換信号生成部と、を有し、前記信号出力切換手段は、前記切換信号に基づいて、前記内部タイミング信号及び前記内部表示データを出力するように信号経路を切り換えることを特徴とする。
【００１２】
請求項３記載の発明は、請求項１又は２記載の表示駆動装置において、前記外部信号検出手段により供給状態が検出される前記外部タイミング信号は、水平同期信号及び垂直同期信号のうちの少なくともいずれか一方であることを特徴とする。
請求項４記載の発明は、請求項１乃至３のいずれかに記載の表示駆動装置において、前記内部信号生成手段により生成される前記内部表示データは、前記表示パネルに白表示画像を表示させるための輝度階調データであることを特徴とする。
【００１３】
請求項５記載の発明は、タイミング信号に基づいて、表示パネルに所望の画像情報を表示するための駆動制御信号を生成する表示駆動装置の駆動制御方法において、装置外部から供給される外部タイミング信号の供給状態を検出するステップと、前記外部タイミング信号が正常に供給されている場合には、前記外部タイミング信号に基づいて、前記駆動制御信号を生成するステップと、前記外部タイミング信号の欠落が検出された場合には、前記表示駆動装置の内部で生成された、前記外部タイミング信号とは独立した内部タイミング信号に基づいて、前記駆動制御信号を生成するとともに、前記所望の画像情報を表示するために装置外部から供給される外部表示データを、白表示画像を表示させるための内部表示データに切り換えるステップと、を含むことを特徴とする。
請求項６記載の発明は、請求項５記載の表示駆動装置の駆動制御方法において、前記外部タイミング信号は、水平同期信号及び垂直同期信号のうちの少なくともいずれか一方であることを特徴とする。
【発明の効果】
【００１４】
本発明は、液晶表示装置に適用される表示駆動装置及びその駆動制御方法であって、装置外部（表示信号生成回路）から供給される外部タイミング信号（外部水平同期信号、外部垂直同期信号）の供給状態（各周期ごとのカウント値）を常に検出するように構成され、当該外部タイミング信号が欠落して（カウント値がフルカウントに達して）、表示駆動装置（ＬＣＤコントローラ）に入力されない異常状態が発生した場合には、当該外部タイミング信号に替えて、装置内部に設けられた内部信号生成手段（切換データ生成部）により生成される内部タイミング信号（内部水平同期信号、内部垂直同期信号）を利用して、信号ドライバや走査ドライバに供給する駆動制御信号（水平制御信号、垂直制御信号）を生成するとともに、装置外部（表示信号生成回路）から供給される外部表示データ（輝度階調データ）に替えて、内部信号生成手段（切換データ生成部）により生成される内部表示データ（白表示データ）に基づく白表示画像が表示パネル（液晶表示パネル）に表示される。
【００１５】
これにより、外部タイミング信号が正常に供給されている場合（通常状態）には、当該外部タイミング信号に基づいて、外部表示データに応じた所望の画像情報が表示され、外部タイミング信号の欠落が検出された場合（異常状態）には、外部タイミング信号とは独立した内部タイミング信号に基づいて、上記駆動制御信号が生成されるとともに、予め用意された内部表示データ（白表示データ）に応じた白表示画像が表示されるので、通常の表示状態において表示されていた画像情報がホールドされて残像が生じる現象を防止することができ、各表示画素（液晶）への直流電圧の印加を抑制して、画面の焼き付きや液晶の劣化を抑制することができる。
【発明を実施するための最良の形態】
【００１６】
以下、本発明に係る表示駆動装置及びその駆動制御方法について、実施の形態を示して詳しく説明する。
まず、本発明に係る表示駆動装置を適用した表示装置について簡単に説明する。
図１は、本発明に係る表示駆動装置を適用した表示装置の一構成例を示す概略ブロック図である。ここで、上述した従来技術（図５参照）と同等の構成については、同等の符号を付して説明する。図２は、本発明に係る表示駆動装置（ＬＣＤコントローラ）の一実施形態を示す要部構成図である。
【００１７】
本発明に係る表示駆動装置を適用可能な表示装置は、例えば、図１に示すように、複数の表示画素が２次元配列された液晶表示パネル１０と、表示画素に映像信号（表示データ）に応じた信号電圧を印加する信号ドライバ２０と、液晶表示パネル１０の行ごとに表示画素を選択状態に設定する走査信号を印加する走査ドライバ３０と、映像信号に基づいて外部表示データ（輝度階調データ）及び外部タイミング信号（後述するシステムクロック、水平同期信号、垂直同期信号等）を生成する表示信号生成回路５０と、上記タイミング信号に基づいて信号ドライバ２０及び走査ドライバ３０に供給する駆動制御信号（後述する水平制御信号、垂直制御信号等）を生成するＬＣＤコントローラ４０と、を備え、特に、ＬＣＤコントロール４０内に表示信号生成回路５０からの水平同期信号及び垂直同期信号の供給状態に応じて液晶表示パネル１０における画像表示を切り換える表示切換制御部４１を備えた構成を有している。
【００１８】
液晶表示パネル１０は、概略、マトリクス状に配列された複数の表示画素と、該表示画素を行方向に接続するように配設された走査ラインと、上記表示画素を列方向に接続するように配設された信号ラインと、からなる周知の構成を有し、走査ドライバ３０から各行の走査ラインに走査信号を順次印加して表示画素を選択状態に設定し、当該表示画素に信号ドライバ２０から表示データに応じた信号電圧を印加することにより、表示画素（画素電極と共通電極間）に封入された液晶の配向状態を制御して、液晶表示パネル１０に所望の画像情報を表示する周知の表示駆動制御が実行される。
【００１９】
表示信号生成回路５０は、表示装置の外部から供給される映像信号から輝度階調成分を抽出して外部表示データとしてＬＣＤコントローラ４０に供給する。また、例えば、当該映像信号からシステムクロックＳＹＳＣＫを抽出して、信号ドライバ２０やＬＣＤコントローラ４０に供給するとともに、このシステムクロックＳＹＳＣＫに同期する外部水平同期信号ＨＳＣＫａ、外部垂直同期信号ＶＳＣＫａを生成してＬＣＤコントローラ４０に供給する。
【００２０】
ＬＣＤコントローラ４０は、例えば、図１に示すように、少なくとも、表示信号生成回路５０からの外部水平同期信号ＨＳＣＫａや外部垂直同期信号ＶＳＣＫａが一定期間入力されない状態を検出した場合には、外部水平同期信号ＨＳＣＫａや外部垂直同期信号ＶＳＣＫａに替えて、内部水平同期信号ＨＳＣＫｂや内部垂直同期信号ＶＳＣＫｂを出力するとともに、外部表示データとは異なる特定の内部表示データを信号ドライバ２０に出力する表示切換制御部（外部信号検出手段、内部信号生成手段、信号出力切換手段）４１と、該表示切換制御部４１から出力されるタイミング信号（外部水平同期信号ＨＳＣＫａ及び外部垂直同期信号ＶＳＣＫａ、又は、内部水平同期信号ＨＳＣＫｂや内部垂直同期信号ＶＳＣＫｂ）に基づいて、信号ドライバ２０及び走査ドライバ３０に供給される水平制御信号や垂直制御信号等を生成するタイミングジェネレータ（制御信号生成手段）４２と、を備えた構成を有している。
【００２１】
表示切換制御部４１は、具体的には、図２に示すように、例えば、表示信号生成回路５０から供給される外部水平同期信号ＨＳＣＫａがリセット端子ＲＳＴに入力されるとともに、システムクロックＳＹＳＣＫがクロック端子ＣＫに入力される第１のカウンタ４１１と、外部垂直同期信号ＶＳＣＫａがリセット端子ＲＳＴに入力されるとともに、システムクロックＳＹＳＣＫがクロック端子ＣＫに入力され、外部水平同期信号ＨＳＣＫａがイネーブル端子ＥＮＢに入力される第２のカウンタ４１２と、第１のカウンタ４１１及び第２のカウンタ４１２の各々から出力されるフルカウント出力を検出して、各々セレクト信号を出力するセレクト信号生成部（切換信号生成部）４１３、４１４と、表示信号生成回路５０から供給される外部水平同期信号ＨＳＣＫａ及び外部垂直同期信号ＶＳＣＫａ、外部表示データとは独立した内部水平同期信号ＨＳＣＫｂ及び内部垂直同期信号ＶＳＣＫｂ、白表示データ（内部表示データ）を生成して出力する切換データ生成部（内部信号生成手段）４１５と、上記セレクト信号に基づいて、表示信号生成回路５０から供給される外部水平同期信号ＨＳＣＫａ及び外部垂直同期信号ＶＳＣＫａ、外部表示データ、又は、切換データ生成部４１５から出力される内部水平同期信号ＨＳＣＫｂ及び内部垂直同期信号ＶＳＣＫｂ、白表示データのいずれかをＬＣＤコントローラ４０内のタイミングジェネレータ４２及び信号ドライバ２０に個別に出力する信号出力切換スイッチ（ＳＥＬ−ＳＷ；信号出力切換手段）４１６、４１７、４１８と、を有して構成されている。
【００２２】
ここで、第１のカウンタ４１１は、外部水平同期信号ＨＳＣＫａの入力タイミング（立ち上がりタイミング）で、システムクロックＳＹＳＣＫをカウントする動作を開始し、次の外部水平同期信号ＨＳＣＫａの入力タイミングで、当該カウント値がリセットされるように構成され、例えば、１水平期間（１Ｈ）におけるシステムクロック数を１７１６ＣＫとした場合、概ね２水平期間（２Ｈ）以上となる４０９６カウントをフルカウント値として、カウント数が当該フルカウント値に達したときに出力端子Ｑからセレクト信号生成部４１３にフルカウント出力が出力されるように設定されている。
【００２３】
また、第２のカウンタ４１２は、外部垂直同期信号ＶＳＣＫａの入力タイミング（立ち上がりタイミング）で、イネーブル端子ＥＮＢに入力される外部水平同期信号ＨＳＣＫａをカウントする動作を開始し、次の外部垂直同期信号ＶＳＣＫａの入力タイミングで、当該カウント値がリセットされるように構成され、例えば、１垂直期間（１Ｖ；１フレーム）を２４０水平期間とした場合、概ね２垂直期間（２Ｖ）以上となる５１２カウントをフルカウント値として、カウント数が当該フルカウント値に達したときに出力端子Ｑからセレクト信号生成部４１４にフルカウント出力が出力されるように設定されている。
すなわち、第１及び第２のカウンタ４１１、４１２、セレクト信号生成部４１３、４１４は、本発明に係る外部信号検出手段を構成する。
【００２４】
また、切換データ生成部４１５は、第１のカウンタ４１１及び第２のカウンタ４２２から出力されるフルカウント出力を検出することによりセレクト信号生成部４１３、４１４から出力されるセレクト信号に基づいて、信号出力状態に移行し、内部水平同期信号ＨＳＣＫｂを信号出力切換スイッチ４１６に出力し、内部垂直同期信号ＨＳＣＫｂを信号出力切換スイッチ４１７に出力し、白表示データを信号出力切換スイッチ４１８に出力する。
【００２５】
ここで、図２に示した表示切換制御部４１においては、セレクト信号生成部４１３、４１４から出力されるセレクト信号が、単一の信号線を介して切換データ生成部４１５及び信号出力切換スイッチ４１６、４１７、４１８に入力されるように構成されている。すなわち、このような構成においては、セレクト信号生成部４１３、４１４のいずれかにおいて、フルカウント出力を検出することにより出力されたセレクト信号に基づいて、切換データ生成部４１５の全ての機能を一斉に起動させて内部水平同期信号ＨＳＣＫｂ及び内部垂直同期信号ＶＳＣＫｂ、白表示データの全てを出力する信号出力状態に移行するとともに、上記セレクト信号によって、信号出力切換スイッチ４１６、４１７、４１８の全てが切り換わり、表示信号生成回路５０から供給される外部水平同期信号ＨＳＣＫａ及び外部垂直同期信号ＶＳＣＫａ、外部表示データの取り込みを遮断して、切換データ生成部４１５から出力される内部水平同期信号ＨＳＣＫｂ及び内部垂直同期信号ＶＳＣＫｂ、白表示データを取り込んで出力するように制御される。
【００２６】
また、タイミングジェネレータ４２は、上記信号切換スイッチ４１６、４１７を介して供給されるタイミング信号（表示信号生成回路５０から供給される外部水平同期信号ＨＳＣＫａ及び外部垂直同期信号ＶＳＣＫａ、システムクロックＳＹＳＣＫ、又は、内部水平同期信号ＨＳＣＫｂ及び内部垂直同期信号ＶＳＣＫｂ、システムクロックＳＹＳＹＣＫのいずれか）に基づいて、水平制御信号及び垂直制御信号を生成し、各々信号ドライバ２０及び走査ドライバ３０に出力する。
【００２７】
次いで、上述した構成を有する表示駆動装置（ＬＣＤコントローラ）における駆動制御動作について具体的に説明する。
図３は、本実施形態に係る表示駆動装置の駆動制御方法の通常状態における駆動制御動作の例を示すタイミングチャートであり、図４は、本実施形態に係る表示駆動装置の駆動制御方法の異常状態における駆動制御動作の例を示すタイミングチャートである。ここでは、図２に示した表示駆動装置の構成を適宜参照しながら説明する。
【００２８】
まず、表示信号生成回路５０から外部水平同期信号ＨＳＣＫａ及び外部垂直同期信号ＶＳＣＫａが正常に出力されている通常状態（正常状態）において、本実施形態に係る表示駆動装置の駆動制御動作（駆動制御方法）は、図２、図３に示すように、第１のカウンタ４１１において、表示信号生成回路５０から供給される外部水平同期信号ＨＳＣＫａの入力タイミング（立ち上がりタイミング）によりリセット動作が実行され、次いでシステムクロックＳＹＳＣＫの入力タイミング（立ち上がりタイミング）に応じてカウント値が順次加算される。すなわち、外部水平同期信号ＨＳＣＫａの各周期（１Ｈ）ごとにシステムクロックＳＹＳＣＫのカウント動作が実行される。
【００２９】
一方、第２のカウンタ４１２においては、表示信号生成回路５０から供給される外部垂直同期信号ＶＳＣＫａの入力タイミング（立ち上がりタイミング）によりリセット動作が実行され、次いで外部水平同期信号ＨＳＣＫａの入力タイミング（立ち上がりタイミング）に応じてカウント値が順次加算される。すなわち、外部垂直同期信号ＶＳＣＫａの各周期（１Ｖ）ごとに外部水平同期信号ＨＳＣＫａのカウント動作が実行される。
【００３０】
ここで、通常状態においては、正常なタイミングで正常な信号波形を有する外部水平同期信号ＨＳＣＫａや外部垂直同期信号ＶＳＣＫａが表示信号生成回路５０から供給されるので、上記第１のカウンタ４１１及び第２のカウンタ４１２において、フルカウント（４０９６カウント、５１２カウント）に到達する以前に、次のタイミングの外部水平同期信号ＨＳＣＫａ及び外部垂直同期信号ＶＳＣＫａが入力されることにより、定期的にリセットされることになる。すなわち、各カウンタ４１１、４１２はフルカウントまでカウント動作されない。
【００３１】
したがって、表示信号生成回路５０から供給される外部水平同期信号ＨＳＣＫａや外部垂直同期信号ＶＳＣＫａが表示切換制御部４１の信号出力切換スイッチ４１６、４１７を介して（スルーして）、タイミングジェネレータ４２にそのまま出力されるとともに、外部表示データが信号出力切換スイッチ４１８を介して（スルーして）、信号ドライバ２０にそのまま出力される。なお、システムクロックＳＹＳＣＫは、そのままタイミングジェネレータ４２にも供給される。
【００３２】
これにより、タイミングジェネレータ４２において、表示信号生成回路５０から供給される外部水平同期信号ＨＳＣＫａや外部垂直同期信号ＶＳＣＫａ、システムクロックＳＹＳＣＫに基づいて水平制御信号及び垂直制御信号が生成され、各々信号ドライバ２０及び走査ドライバ３０に供給されることにより、映像信号（表示信号生成回路５０から供給される外部表示データ）に基づく所望の画像情報が液晶表示パネルに表示される。
【００３３】
これに対して、表示信号生成回路５０から供給される外部水平同期信号ＨＳＹＮＣ及び外部垂直同期信号ＶＳＹＮＣが欠落する異常状態においては、表示駆動装置の駆動制御動作（駆動制御方法）は、図２、図４に示すように、まず、上述した通常状態と同様に、第１のカウンタ４１１において、外部水平同期信号ＨＳＣＫａの入力タイミングでリセット動作が実行され、次いでシステムクロックＳＹＳＣＫの入力タイミングでカウント値が順次加算されるカウント動作が開始される。また、第２のカウンタ４１２においても、外部垂直同期信号ＶＳＣＫａの入力タイミングでリセット動作が実行されて、外部水平同期信号ＨＳＣＫａの入力タイミングでカウント値が順次加算されるカウント動作が開始される。
【００３４】
ここで、外部水平同期信号ＨＳＹＮＣ又は外部垂直同期信号ＶＳＹＮＣが欠落する異常状態においては、上記第１のカウンタ４１１又は第２のカウンタ４１２において、当該カウント値が定期的にリセットされず、フルカウントまでカウントした時点、すなわち、例えば、第１のカウンタ４１１ではシステムクロックを４０９６カウントした時点で、また、第２のカウンタ４１２では外部水平同期信号ＶＳＣＫａを５１２カウントした時点で、各カウンタ４１１、４１２からフルカウント出力がセレクト信号生成部４１３、４１４に出力される。なお、図４においては、外部水平同期信号ＨＳＣＫａ及び外部垂直同期信号ＶＳＣＫａが欠落する場合について同一の図面に示すが、これらの同期信号のうちいずれか一方のみが欠落するものであってもよい。
【００３５】
これにより、少なくとも一方のセレクト信号生成部４１３、４１４において、セレクト信号が生成されて、切換データ生成部４１５に入力されることにより、当該切換データ生成部４１５が信号出力状態に移行して、内部水平同期信号ＨＳＣＫｂ及び内部垂直同期信号ＶＳＣＫｂ、白表示データが出力されるとともに、信号出力切換スイッチ４１６、４１７、４１８の信号経路が切り換わる。
【００３６】
したがって、信号出力切換スイッチ４１６において、表示信号生成回路５０からの外部水平同期信号ＨＳＣＫａの取り込みが遮断されて、切換データ生成部４１５からの内部水平同期信号ＨＳＣＫｂが取り込まれてタイミングジェネレータ４２に出力され、また、信号出力切換スイッチ４１７において、表示信号生成回路５０からの外部垂直同期信号ＶＳＣＫａの取り込みが遮断されて、切換データ生成部４１５からの内部垂直同期信号ＶＳＣＫｂが取り込まれてタイミングジェネレータ４２に出力され、さらに、信号出力切換スイッチ４１８において、表示信号生成回路５０からの（映像信号に基づく）外部表示データの取り込みが遮断されて、切換データ生成部４１５からの白表示データが取り込まれて信号ドライバ２０に出力される。なお、システムクロックＳＹＳＣＫは、上記と同様にそのままタイミングジェネレータ４２に供給される。
【００３７】
これにより、タイミングジェネレータ４２において、表示切換制御部４１（切換データ生成部４１５）から供給される内部水平同期信号ＨＳＣＫｂ及び内部垂直同期信号ＶＳＣＫｂ、並びに、表示信号生成部５０から供給されるシステムクロックＳＹＳＣＫに基づいて水平制御信号及び垂直制御信号が生成され、各々信号ドライバ２０及び走査ドライバ３０に供給されるとともに、表示切換制御部４１（切換データ生成部４１５）から供給される白表示データが信号ドライバ２０に供給されることにより、予め設定された白表示画像が液晶表示パネル１０に表示される。
【００３８】
このように、本実施形態に係る表示駆動装置及びその駆動制御方法によれば、表示信号生成回路から供給される外部水平同期信号や外部垂直同期信号が欠落して、ＬＣＤコントローラ（表示切換制御部）に入力されない異常状態が発生した場合には、ＬＣＤコントローラ内に設けられた切換データ生成部から供給される内部水平同期信号及び内部垂直同期信号、白表示データに基づいて、映像信号に基づく外部表示データ（輝度階調データ）に替えて、白表示画像が表示されるので、通常の表示状態において表示されていた画像情報がホールドされて残像が生じる現象を防止することができ、各表示画素（液晶）への直流電圧の印加を抑制して、画面の焼き付きや液晶の劣化を抑制することができる。
【００３９】
なお、上述した表示切換制御部（切換データ生成部）により生成、出力される内部水平同期信号及び内部垂直同期信号は、例えば、上述した表示信号生成回路と同様に、映像信号やシステムクロックに基づいて生成されるものであってもよいし、映像信号やシステムクロックとは独立した基本クロック等に基づいて生成するものであってもよい。
【００４０】
また、上述した異常状態において、表示信号生成回路から正常に外部水平同期信号や外部垂直同期信号が供給される状態（正常状態）に戻った場合には、第１及び第２のカウンタにおいて、リセット動作が実行されてフルカウント出力が検出されないため、セレクト信号が出力されなくなり、信号出力切換スイッチの信号経路が切り換わって、切換データ生成部から供給される内部水平同期信号及び内部垂直同期信号、白表示データの取り込みが遮断されて、表示信号生成回路から供給される外部水平同期信号及び外部垂直同期信号、外部表示データがタイミングジェネレータ及び信号ドライバに出力される。
【図面の簡単な説明】
【００４１】
【図１】本発明に係る表示駆動装置を適用した表示装置の一構成例を示す概略ブロック図である。
【図２】本発明に係る表示駆動装置（ＬＣＤコントローラ）の一実施形態を示す要部構成図である。
【図３】本実施形態に係る表示駆動装置の駆動制御方法の通常状態における駆動制御動作の例を示すタイミングチャートである。
【図４】本実施形態に係る表示駆動装置の駆動制御方法の異常状態における駆動制御動作の例を示すタイミングチャートである。
【図５】従来技術における液晶表示装置の一例を示す概略ブロック図である。
【符号の説明】
【００４２】
１０      液晶表示パネル
２０      信号ドライバ
３０      走査ドライバ
４０      ＬＣＤコントロール
４１      表示切換制御部
４２      タイミングジェネレータ
５０      表示信号生成回路
４１１、４１２    カウンタ
４１３、４１４    セレクト信号生成部
４１５      切換データ生成部
４１６〜４１８    データ出力切換部
【図１】
2007093695.tif 000003
【図２】
2007093695.tif 000004
【図３】
2007093695.tif 000005
【図４】
2007093695.tif 000006
【図５】
2007093695.tif 000007